(57)【要約】      （修正有）【課題】風を受け止めた時に大きさの割に引く力が軽く、丈夫で揚り方が安定しており、保管や持ち運びにも便なる折りたたみ凧とそのケースを提供する。【解決手段】凧とそのケースは、人形に模した凧にあって、頭部に左右一対の棒材５と、両棒材を直角に横切る糸６と、これから延びる左右一対の糸目７を備え、棒材よりも下方に延びた胴部が凧２を前傾させ、凧が風を受け流して安定して軽く引くことができる。また、棒材５を縦の長さとする３つに折り畳めるシート材の内側に入る一枚に長い手足３，４を持つ凧を、小さく巻き取って収納し、シート材に折り込んで便利に持ち運びができる。【選択図】図１
0003166285.tif 000002
【実用新案登録請求の範囲】
【請求項１】
頭部と胴部と左右一対の手部と左右一対の脚部とよりなる凧であって、前記頭部は左右縦方向に並列配置した一対の棒材と、両棒材を直角に横切る糸と、これから延びる左右一対の糸目を備え、前記胴部は頭部の下側に配置され、前記左右一対の脚部と手部は胴部の下側にそれぞれ左右対称位置に配置されていることを特徴とする凧。
【請求項２】
１枚のシートを３つに重ねて折り畳んで、折り重ねた凧を収納するケースであって、縦方向の長さが凧の棒材の長さ相当であることを特徴とする請求項１記載の凧を収納するケース。
【考案の詳細な説明】
【技術分野】
【０００１】
本考案は、折りたたみの胴体と手足を設けた凧とそのケースに関する。
【背景技術】
【０００２】
折りたたみの凧に関しては従来ぐにゃぐにゃ凧と称する凧が知られている。          
【先行技術文献】
【特許文献】
【０００３】
【特許文献１】特開２００９−１７２３６４号公報
【考案の概要】
【考案が解決しようとする課題】
【０００４】
従来のぐにゃぐにゃ凧と称する凧には次のような欠点があった。糸目の左右の取り付け方が壊れ易く、位置が狂い易くて、その結果凧が不安定になるという欠点があった。また風をまともに受け止めて凧の大きさに比較して引く力が強く、揚がり方が不安定であり、また人形に模して手足を付けようとしても一般的な凧の尻尾のように風下に向かってひらひらと折れ曲がってしまうという欠点があった。また室内で竿に付けて振った場合も観賞に堪えるものではないという欠点があった。また耐久性の乏しく凧作り教室などで作り、揚げた後は捨てられているものであり、繰り返し使うには荷姿が扱いにくく収納や持ち運びに不便だという欠点があった。
【０００５】
本考案は、このような従来の構成が有していた問題や、欠点を解決しようとするものである。すなわち、糸目の止め方が容易に精度を確保できてしかも丈夫であり、また風上に向かって凧が大きく傾き、風を受け流して、凧の大きさに比較して引く力が軽く、揚がり方が安定している。即ち、人形に模した頭部から胴体までが一体となって風上に向かって傾き、これにつながる手足がゆらゆらとうねるような姿で動き、室内においても竿に付けて振って観賞するに堪える動きをする。また凧の収納ケースを拡げてこれに凧を懸けて室内に飾ったり、このケースに凧を収納して畳み、書類の間に挟んで安定した荷姿で持ち運べるような凧とそのケースを提供することを課題とするものである。
【課題を解決するための手段】
【０００６】
本考案の折りたたみの胴体と手足を設けた凧は、シート材の頭部１と胴部２と左右一対の手部３と左右一対の脚部４とよりなる凧であって、頭部１は左右一対の棒材５と、両棒材を直角に横切る糸６と、これから延びる左右一対の糸目７を備え、前記胴部２は頭部１の下側に配置され、前記左右一対の手部３と脚部４は胴部２の下側にそれぞれ左右対称の位置に配置されていることを特徴とするものである。
また、本考案のシートは１枚のシートを３つに重ねて折り畳み、これに凧を折り畳んで収納するケース９であって、縦方向の長さが凧の棒材５の長さ相当であることを特徴とするものである。
【考案の効果】
【０００７】
本考案の凧によれば、凧の糸目７が丈夫に取り付けられ、かつ容易に正確に左右バランス良く取り付けられるので凧が安定して揚がる。
【０００８】
また、糸目７の位置と風を孕んだシート全体の中心位置とがずれて設けられたことから遇力が発生して、シート面が風に向かって前のめりに傾き円筒面を構成する胴部２の剛性によって手足の切り込みの部分まで頭部１と一体で傾き、切り込み部分から適度に風を逃がして、風を受け止めるのではなく、風を受け流して凧の大きさに比較して非常に軽い力で揚がる。
【０００９】
また揚がった姿が、人形を模した凧の胴部２や手部３や脚部４が一体となって安定してゆらゆらとうねるような動きをする。また室内においては任意の竿に付けて室内空間をゆらゆらと振ると観賞に値する動きをする。
【００１０】
さらに本考案のケースによれば、凧のケース９によって室内に飾ったり、収納して持ち運ぶのに便利かつ扱いやすい荷姿になる。
【００１１】
また、シート材と棒材５の構造を考案のような配置にすることで人形を模した形の中にもサインできるスペースを設けることが出来て、ここにマークを記入するとかユーザー独自の凧になり、使い捨てでなく長く使用できる凧となる。
【００１２】
さらに本考案のケースによればケース９にも夢や念願を書きこむなどして、時々開いて確認する、壁に吊るす、室内で揚げる、空に揚げるなど、一時的な凧揚げでなく、日常の暮らしの中で凧を継続して使用することが出来て、凧を子供用のものから大人が携帯出来る持ち物にまで利用範囲が拡大される。
【００１３】
また、大変小さく収納出来て例えば児童の背丈くらいの長さの凧がＡ4版書類に挟んで持ち運べ大きさに折り畳めるので、例えば国内や海外に携行して行き先で手軽に揚げて、写真や動画に撮ったり、それをメールやブログで発表して、広く新しい交流の機会を創出するなどの利用効果がある。
【００１４】
また、観光地などの土産として持ち帰るにも、郵送するにも便利であるという効果がある。
【００１５】
また、凧やそのケース９にコマーシャルを入れてノベルティー用に使用し、衆目の集まりやすい凧で有効に宣伝できるという効果がある。
【図面の簡単な説明】
【００１６】
【図１】本考案の凧の正面図である。
【図２】本考案の凧の使用状態を示す斜視図である。
【図３】本考案のケースの展開図である。
【図４】本考案の凧を壁に吊るした状態のケースの説明図である。
【図５】本考案の凧を巻き取った状態のケースの説明図である。
【図６】本考案の凧を収納した状態のケースの説明図である。
【図７】一般的なぐにゃぐにゃ凧の使用状態を示す斜視図である。
【考案を実施するための形態】
【実施例】
【００１７】
以下、本考案を実施するための形態を実施例によって図面を参照しながら説明する。
【００１８】
本考案の第１の解決手段はシート材の頭部１と胴部２と左右一対の手部３と左右一対の脚部４とよりなる凧であって、一対の上下縦方向に平行した棒材５と、両棒材を棒材５の上端から棒材５の長さの約３分の１の所を直角に横切る糸６と、これから延びる左右一対の糸目７を備え、前記胴部２は頭部１の下側に配置され、前記左右一対の脚部４と手部３は胴部２の下側にそれぞれ左右対称の位置に配置されていることを特徴とする凧である。本形態において棒材５はステンレスのばねワイヤーを用い、両端は折り曲げられてシート材の端末に透明な粘着テープで固定されている。また上部から約３分の１の所に糸を留める為の輪５−１を設けてこれに糸６を結合させている。糸６はシートの両端の部分に直角方向に透明な粘着テープ８を表裏に回して固定され糸目７はこの糸が延長されて構成されている。糸６はシート材が押し付けられる側即ち裏面に配置して透明な粘着テープで固定されている、棒材５の輪５−１の部分はシートにあけられたスリット５−２を通して糸６と結合されてシートに透明な粘着テープで固定されている。また、前記シート材が棒材５の下端よりも下方に延長されていて、延長されたシート材は途中から分割されて棒材５に挟まれた部分を人形の頭部１に模して、その胴部２と手部３と脚部４を構成する。延長されたシート材の両外側は棒材５の長さよりも長い寸法の手部３を構成し、中央側は手部３よりも更に長い脚部４を構成する。すなわち凧の使用時に2本の棒材に支えられて風を孕んで一次曲面になったいわば円筒面の一部を呈するシート材の円筒面の延長が棒材の下端よりも更に下側に延長されて胴部２を構成する部分を設け、胴部２にも、メモや看板に使用できる面を配置出来る構造とし、図1の例では胴部１の部分は三角形のペナントを模した形状になっていて、その先を凧の手部３と脚部４につながる構成としたことを特徴としている。一例として凧に描いた絵は蛸を擬人化したものを用いている。なお透明な粘着テープについて透明粘着テープ８以外のところは図面上に示すことは省いている。
【００１９】
また本考案の第２の解決手段はケース９について本考案の凧を入れるケース９の構造即ち前記棒材５の長さを縦の辺とする横長の厚紙を三つ折りにしたものであり、中に折り込んだ厚紙中板９−１に縦に四つ折りにした凧を巻き取って収納し、これを残る厚紙裏板９−２と厚紙表面９−３で挟み込む構造とする、なおケースを広げて凧を壁面に懸ける際に糸目７を挟む切込みなどの糸の保持部１０を設け、更に厚紙９−２の上部中央に吊り下げ用の穴１１を設けた。ケースの開き止めは本形態では、祝儀袋のように輪にした抑え紐１２に差し込んでいるが、止め方はこれに拘らない。なお図１において、棒材５及び糸６及び糸目７の太さは、省略して１本の線で表している。
【００２０】
以下、上記構成の働きを説明する、図１の実施例によれば、シート材を抑える側即ち風上になる表側に棒材５を透明粘着テープで固定し、これを直角に横切る糸６はシートを抑える側即ちシートの裏側に配置されているが、棒材５に設けた輪５−１の位置でシートに設けられたスリット５−１を通して、棒材のステンレスばねワイヤーの輪に潜らせて結ばれ容易に高い精度で連結される。またこの糸が直線的に延長されて締結材を介在させず糸目を構成するのでシートの端末と透明粘着テープ８で止めるだけで、壊れ易い結合部が不要になり、かつ高い精度で糸目が構成され凧の安定した揚がり方を実現する。
【００２１】
また、シート材が棒材５の下端よりも下方に延長されているが、シート材はそれ自体が例えばポリエチレンシートの厚み百分の数ミリのような剛性の小さいものであっても風を孕んで、円筒面の状態になることで座屈しないで、風を受け流して棒材の長さよりも長い案内部分が出現する。糸目７の力点とこのシート部分の中心とのずれによる遇力で凧は風上に向かって傾いて風を受け流して軽く揚がり、手足がこの延長のような角度で動くのでゆらゆらと踊るような又は泳ぐような姿を呈することが出来る。また、胴部をこの例のように三角の形状にすることで、全国の観光地で昔あったペナントと称する旗を模して復刻することもできる。また、人形に模した場合はこの三角形の部分が人形の着物の襟を構成する。また三角形であることから手足の位置を動きがより自然に見える配置にすることが出来る。しかし胴部は三角形には拘らない、矩形でも成立するものである。
【００２２】
また、胴部２を棒材５の下端よりも下方に配置したことによって収納の際に凧を巻き取るべき棒材の長さに比較して大変に長い凧を提供できる。例えばＡ４サイズの書類の一辺の長さの棒材に児童の身長大の凧を巻き取ることが出来る。
【００２３】
なお、室内においても竿に付けて室内空間をゆらゆらと振って観賞することが出来て、教室や施設のホール等での行事が天候を気にしないで計画し実施出来る。特に雪国の冬の遊びや行事などに活用できる。また大人が自分の念願を記入して机の前でゆらゆらと空間を遊泳させて、納得するなど、皆で遊ぶだけでない用途を提供できる。
【００２４】
また野外で揚がった人形に模した姿は従来の凧とは異なって胴体や手足がゆらゆらとうねるような姿になる特徴ある動きをするために、例えばパソコンの仲間のオフ会等で集合の目印に使ったり、オフ会同士の出会いの目印にしてコミニュケーションを醸成する手段として使うことが出来る。
【００２５】
また収納ケースによって室内に飾ったり、収納して持ち運びやすくなって遠方や海外などにも携帯して揚がった姿を写真や動画で紹介が出来る。
【００２６】
また、常時携帯して自分の念願を成就し、心身を壮快にするセラピーの手段として利用できる。
【００２７】
また、感動を伴った、感性を養う教材として、新しい分野を開くことが出来る。
【００２８】
また、凧揚げを、暮らしの中に取り込めて、コミニュティー造りの手段にできるものであり、屋内の揚がり方から自然に屋外で揚げてみたくなるように誘導して、ひきこもりがちな生活の人に屋外に出ることを促すという効果がある。
【００２９】
また、宣伝媒体としての分野を開拓できるものである。コマーシャルだけでなく、地方のユルキャラと称するマスコット人形の顔を模して造り、街おこしに寄与することができる。
【００３０】
また、凧やケースに夢や念願を書き込むことから、自然に無理なく家族の会話を促す使い方を提供出来る。
【００３１】
また、神社へお参りに来た人に絵馬とお守りを兼ねたものとして提供が出来る。
【００３２】
また、贈り物にした場合、貰う側も、邪魔にならないし、子供扱いでもないという、今までになかった手軽で、広い年代層を対象とした気が効いた贈り物として利用できる。
【符号の説明】
【００３３】
１      頭部  
２      胴部
３      手部
４      脚部
５      棒材
５−１  輪
５−２  スリット
６      糸
７      糸目
８      透明な粘着テープ
９      ケース
９−１  厚紙中板
９−２  厚紙裏板
９−３  厚紙表板
９−４  内折り線
１０    保持部
１１    吊り下げ穴
１２    抑え紐
【図１】
0003166285.tif 000003
【図２】
0003166285.tif 000004
【図３】
0003166285.tif 000005
【図４】
0003166285.tif 000006
【図５】
0003166285.tif 000007
【図６】
0003166285.tif 000008
【図７】
0003166285.tif 000009